(57)【要約】【課題】  デジタル放送における広告の視聴に対する視聴者へのメリットとして視聴者のＣＭ視聴履歴に応じて効率よく印刷サービス提供する。【解決手段】  デジタルテレビコンテンツ作成者はデジタルテレビ信号の付加データに、番組ＩＤ、番組ＩＤに対応したポイントデータ、印刷画像及び印刷制御用スクリプトを含めて送信を行う。このデジタルテレビ信号はデジタル信号受信装置で受信され、映像部分とデータ部分にデータ分離装置で分離された後、それぞれビデオデコーダ部、ＣＰＵに送信され処理が行われる。ＣＰＵに送信されたデジタルテレビ信号の付加データは番組ＩＤ、番組ＩＤに対応したポイントデータ、印刷画像、印刷制御用スクリプトが含まれており、ＣＰＵで印刷制御用スクリプトを自動実行することで視聴者のＣＭポイントの保存及び視聴者の印刷判定を行い、視聴者が印刷条件を満たしていた場合に印刷画像をプリンタへ送信し印刷を行う。【選択図】  図１
2006304106.tif 000002
【特許請求の範囲】
【請求項１】
ストリーム映像及びストリーム音声を構成するデータと、データ放送用各種データを含むデジタルテレビ信号を受信する受信手段と、
受信した信号を解読しビデオデータとオーディオデータとデータ放送用各種データとを分離する信号分離部手段と、
分離された映像データからデジタル映像を出力するデジタル映像出力手段と、
分離されたオーディオデータからオーディオ出力するオーディオ出力手段と、
分離されたデータ放送用各種データを制御するデータ制御手段と、
分離されたデータ放送用各種データを蓄積する為のデータ蓄積手段と、
分離されたデータ放送用各種データを印刷する為の印刷手段と、
を具備することを特徴とするデジタルテレビシステム。
【請求項２】
前記データ放送用各種データは番組を一意に特定する番組ＩＤと、番組ＩＤに対応するポイントと、印刷用画像と、印刷制御用スクリプトを含むことを特徴とする請求項１に記載のデジタルテレビシステム。
【請求項３】
前記印刷制御用スクリプトはデータ蓄積ステップ、印刷判定ステップ、画面表示ステップ、印刷指示ステップを持つことを特徴とする請求項２に記載のデジタルテレビシステム。
【請求項４】
前記印刷制御用スクリプト記載のデータ蓄積ステップとは、前記データ蓄積手段に対して前記データ放送用各種データから番組ＩＤを取得し、番組ＩＤに対応するポイントを前記データ蓄積手段に対して蓄積加算するステップであり、
前記印刷制御用スクリプト記載の印刷判定ステップとは、前記データ蓄積手段に蓄積されたポイント数が印刷条件を満たしているか判定するステップであり、
前記印刷制御用スクリプト記載の画面表示ステップとは、前記印刷判定ステップで判定した結果が印刷条件を満たしていた場合デジタルテレビ画面に印刷を行うか否かの選択を表示するステップであり、
前記印刷制御用スクリプト記載の印刷制御ステップとは、前記画面表示ステップにて視聴者が印刷を行う選択をした場合に前記データ放送用各種データから印刷用画像を取得し前記印刷手段に対して印刷指示を行うステップであることを特徴とする請求項３に記載のデジタルテレビシステム。
【請求項５】
前記印刷制御用スクリプトは視聴者がＣＭ視聴を行った際に自動で実行されることを特徴とする請求項４に記載のデジタルテレビシステム。
【請求項６】
前記印刷制御用スクリプトで印刷条件の設定はコンテンツ作成者が設定することを特徴とする請求項４に記載のデジタルテレビシステム。
【請求項７】
前記印刷手段はデジタルテレビと接続されているプリンタ、またはデジタルテレビ内に内蔵されているプリンタであることを特徴とする請求項１に記載のデジタルテレビシステム。
【請求項８】
前記データ蓄積手段とは不揮発性メモリまたはハードディスクであることを特徴とする請求項１に記載のデジタルテレビシステム。
【請求項９】
前記データ放送用各種データはＸＭＬベースのマークアップ言語を用いて送信されることを特徴とする請求項１に記載のデジタルテレビシステム。
【請求項１０】
前記印刷制御用スクリプトとはＪａｖａＳｃｒｉｐｔベースのスクリプト言語であることを特徴とする請求項１に記載のデジタルテレビシステム。
【請求項１１】
受信したデータをビデオデータとオーディオデータとデータ放送用各種データとを分離する信号分離工程と、
分離された映像データからデジタル映像を出力するデジタル映像出力工程と、
分離されたオーディオデータからオーディオ出力するオーディオ出力工程と、
分離されたデータ放送用各種データを制御するデータ制御工程と、
分離されたデータ放送用各種データを蓄積する為のデータ蓄積工程と、
分離されたデータ放送用各種データを印刷する為の印刷工程と、
を具備することを特徴とする印刷方法。
【請求項１２】
コンピュータに、
受信したデータをビデオデータとオーディオデータとデータ放送用各種データとを分離する信号分離手順と、
分離された映像データからデジタル映像を出力するデジタル映像出力手順と、
分離されたオーディオデータからオーディオ出力するオーディオ出力手順と、
分離されたデータ放送用各種データを制御するデータ制御手順と、
分離されたデータ放送用各種データを蓄積する為のデータ蓄積手順と、
分離されたデータ放送用各種データを印刷する為の印刷手順と、
を実行させることを特徴とするプログラム。
【発明の詳細な説明】
【技術分野】
【０００１】
本発明は、デジタルテレビシステムを利用した印刷サービス等に関するものであり、デジタルテレビのコンテンツ供給側がプリンタを使用した印刷サービスを視聴者に提供する為の実現方法に関するものである。
【背景技術】
【０００２】
近年、米国でのデジタル地上波放送及び日本国内におけるＢＳ（衛星）デジタル放送の開発が活発になっている。日本国内においても、地上デジタル放送が既に開始されている。デジタル放送は、ＭＰＥＧ（Moving Picture Experts Group）２等の圧縮技術を採用することによって多チャンネル化を可能にしている。多チャンネル化によって、１度に放送される番組数が極めて多くなる。これにより、広告放送（コマーシャル）（以下、ＣＭという）の放送数も増大させることが可能である。
【０００３】
一方、視聴者の総視聴時間は殆ど変わらないものと予想される。つまりＣＭの増加数ほどには視聴者がＣＭを視聴する数が増えるわけではない。
【０００４】
ＣＭを多くの人に見てもらい製品の購入を促進する為には、良質な番組を制作してより多くの視聴者を集めることも大切であるが、むしろ視聴者の囲い込みとして個別視聴者に対して直接的なメリットを供与する方法が有効である。
【０００５】
今まででも視聴者プレゼントといった方法がとられてきたが、番組視聴者へのプレゼントは広告主のプレゼント企画に応募させるためのＣＭを流す程度しかできず、ＣＭの視聴によって視聴者が製品購入を行う動機付けとするには弱かった。
【０００６】
また、特許文献１（特開２０００−１１５７２６号公報）においては、放送を見ることによりＣＭポイントが加算されるシステムが提案されているがデジタルテレビの視聴者が具体的にメリットを享受する手段が存在しなかった。
【０００７】
【特許文献１】特開２０００−１１５７２６号公報
【発明の開示】
【発明が解決しようとする課題】
【０００８】
本発明はかかる問題点に鑑みてなされたものであって、デジタル放送におけるＣＭの視聴によって視聴者がＣＭに関連した情報の印刷サービスを享受することで視聴者へメリットの供与を達成することができるデジタルテレビシステムを提供することを目的とする。
【課題を解決するための手段】
【０００９】
本発明は前記目的を達成するために、ストリーム映像及びストリーム音声を構成するデータと、データ放送用各種データを含むデジタルテレビ信号を受信する受信手段と、受信した信号を解読しビデオデータ、オーディオデータ、データ放送用各種データを分離する信号分離部手段と、信号分離手段で分離された映像データからデジタル映像を出力するデジタル映像出力手段と、信号分離手段で分離されたオーディオデータからオーディオ出力するオーディオ出力手段と、信号分離手段で分離されたデータ放送用各種データを制御するデータ制御手段と、信号分離手段で分離されたデータ放送用各種データを蓄積する為のデータ蓄積手段と、信号分離手段で分離されたデータ放送用各種データを印刷する為の印刷手段を具備することを特徴とするデジタルテレビシステム等、を提供する。
【発明の効果】
【００１０】
本発明によれば、デジタル放送におけるＣＭ視聴によって視聴者の視聴状態に応じた印刷サービスを提供することにより、ＣＭ視聴者に効率よく印刷サービス提供することができる。
【発明を実施するための最良の形態】
【００１１】
以下、図面を参照して本発明の実施の形態について詳細に説明する。図１は、本発明の一実施例を示すデジタル放送受信装置の概略構成図である。
【００１２】
図１中、１はデジタル放送信号を受信する為の検波装置であり、２は検波装置１で受信したデジタル信号を復調する為の復調装置であり、４は復調装置２で復調されたデジタル信号を解読し、６のビデオデコーダ用映像データ及び音声データ、１０のＣＰＵ用データに分割、再構成する為のＴＳ分離装置である。６はＴＳ分離装置４から出力された映像用データ及び音声データを、ＳＤＲＡＭ３を用いながら、デコードして映像及び音声に変換する為のビデオデコーダ装置であり、ビデオデコーダ装置６から出力された映像が表示装置８でデジタルテレビ画面へ映像が出力され、ビデオデコーダ装置６から出力された音声信号がオーディオ装置３０で音声として出力される。９はＢ−ＣＡＳインターフェースである。１０はＴＳ分離装置４から出力されたデータ放送用信号を処理する為の制御装置である。制御装置１０は内部にプロセッサを持ち、ＧＵＩを持つアプリケーションなどのデータ信号処理等を行う。１１はリモコン１９から発信された信号を受信するリモコン受信装置である。１２は制御装置１０が種々の処理時に用いるＳＤＲＡＭである。１３は制御装置１０の動作に関するプログラム及び情報が格納されたＲＯＭである。１４はカードインターフェースであり、カード型メモリ（不揮発性メモリ）３１などを使用してデータ保存を行う場合に使用する。１５はＩＥＥＥ１３９４インターフェースであり、プリント装置１７、ハードディスク１６等周辺機器を接続する際に使用する。１８は通信時に使用されるモデムである。制御装置２０、ＲＯＭ１３、カードインターフェース１４及びＩＥＥＥ１３９４インターフェース１５は、システムバス２０を介して互いに接続されている。
【００１３】
図２に一般的なデジタル放送で用いられるソフトウェア構成を示す。図２中、１０１はハードウェア装置でありＣＰＵ、ＩＥＥＥ１３９４インターフェース、ビデオデコーダ、ＴＳ分離装置等である。１０２は製品出荷時にＲＯＭに焼きこまれるソフトウェアでありデバイスドライバ、カーネル、開発用ライブラリ群、常駐アプリケーション、ミドルウェアで構成され、ミドルウェアにはデータ放送におけるコンテンツの解釈、提示、実行を行う機能が具わっており、コンテンツ内に記述されたＸＭＬベースのマークアップ言語及びＪａｖａＳｃｒｉｐｔベースのスクリプト等の解釈、提示、実行を行う事が出来る。１０３はデジタル放送でダウンロードされるソフトウェアであり、ＸＭＬベースのマークアップ言語、ＪａｖａＳｃｒｉｐｔをベースにしたスクリプト言語などで構成される。
【００１４】
図３は本実施例における詳細な処理フローであり、前述したＪａｖａＳｃｒｉｐｔベースのスクリプト言語で記述される。図３は番組受信イベント時にデータ蓄積用ハードウェアにポイントを蓄積し蓄積した結果が印刷条件を満たしていた場合には印刷を行う処理フローである。
【００１５】
図３中、ステップＳ１はスクリプト処理開始を示しＣＭ視聴イベントにより起動するステップ、ステップＳ２は視聴しているＣＭの番組ＩＤを取得するステップを示し、データ放送信号に送信されるＣＭの番組ＩＤを取得するステップ、ステップＳ３は視聴しているＣＭのポイントを取得するステップを示し、データ放送信号に送信されるポイントを取得する。ステップＳ４はデータを保存する為のハードウェアがデジタル放送受信機に存在するか判定するステップを示し、図１におけるカードインターフェース１４にデータ保存用機器が接続されているかチェックし、機器が接続されていない場合はＩＥＥＥ１３９４インターフェース１５にデータ保存用機器が存在しているかチェックし、存在しない場合は処理を終了し、存在する場合は次のステップへ進む。
【００１６】
ステップＳ５は前述したデータ保存用機器に対して番組ＩＤをキーとしてポイントを加算するステップを示し、ステップＳ４で判定した結果からカードインターフェース１４に接続されているデータ保存用機器もしくはＩＥＥＥ１３９４インターフェース１５に接続されているデータ保存用機器に対して以前のポイントが存在する場合はポイントの累積加算を行い、ポイントが存在しない場合は新規にポイントを保存する。ステップＳ６は加算したポイント結果が印刷条件を満たしているか判定するステップを示し、ステップＳ５で計算したポイント結果を用いてスクリプト内に記述された印刷条件を満たしていない場合は処理を終了し、印刷条件を満たしている場合は次のステップへ進む。ステップＳ７はＧＵＩ画面を用いて視聴者に印刷内容及び印刷を行うか行わないかの選択画面を表示するステップを示し、デジタルテレビ画面上に印刷内容メッセージと印刷を行うか行わないかの選択画面を表示する。ステップＳ８は印刷を行うか行わないか判定するステップを示し、視聴者からの入力イベントが“印刷する”であった場合は次のステップへ進み、視聴者からの入力イベントが“印刷しない”であった場合は処理を終了する。ステップＳ９はデータ蓄積用ハードウェアに蓄積された番組ＩＤに対応するポイントをクリアするステップを示し、ステップＳ８で視聴者が印刷する選択をした場合はデータ保存用機器に蓄積されたポイントのクリアを行う。ステップＳ１０は印刷用画像を印刷するステップである事を示し、プリンタに対してデータ放送信号で送信された印刷画像の印刷指示を行う。
【００１７】
図４は前記デジタル放送受信装置を備えたデジタルテレビ及びプリンタを示しており、本発明における視聴者から見たシステム構成を示す。図４中、放送局２０１よりデジタル放送用データが多重化装置２０２より多重化されて送信され、デジタル放送受信機２０８は受信したデジタル信号からスクリプトを解析し、記憶装置２１６に対してポイントの蓄積加算を行い、印刷条件が整った場合に画面に印刷内容メッセージ２１０及び印刷選択画面２１１をデジタルテレビ画面に表示し、視聴者が印刷を選択した場合にプリンタ２１７から印刷用画像２３０が印刷される。また、印刷された印刷画像にはクーポン券、割引券、商品の詳細な説明等が印刷される。
【００１８】
なお、上記実施の形態においては、ＣＭを視聴することによってポイントを加算するものについて説明したが、ＣＭに限定されることなく、各種番組の視聴に応じてポイントを加算するように構成しても良い事は明らかである。
【００１９】
また、本発明の実施形態は、例えばコンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムも本発明の実施形態として適用することができる。上記のプログラム、記録媒体、伝送媒体及びプログラムプロダクトは、本発明の範疇に含まれる。
【図面の簡単な説明】
【００２０】
【図１】本発明のテレビプリンタシステムの一実施例の構成を示す図である。
【図２】図１の実施形態において使用される一実施例のソフトウェア構成を示す図である。
【図３】本発明の処理フローを示すフローチャートである。
【図４】本発明の視聴者サイドから見たシステムイメージ図である。
【符号の説明】
【００２１】
１：検波装置
２：復調装置
３：ＳＤＲＡＭ
４：ＴＳ分離装置
６：ビデオデコーダ装置
８：ビデオ表示装置
９：Ｂ−ＣＡＳインターフェース
１０：制御装置（ＣＰＵ）
１１：リモコン受信装置
１２：ＳＤＲＡＭ
１３：ＲＯＭ
１４：カードインターフェース
１５：ＩＥＥＥ１３９４インターフェース
１６：ハードディスク
１７：プリント装置
１８：モデム
１９：リモコン
２０：システムバス
３０：オーディオ装置
３１：カード型メモリ
【図１】
2006304106.tif 000003
【図２】
2006304106.tif 000004
【図３】
2006304106.tif 000005
【図４】
2006304106.tif 000006